(57)【要約】 【課題】  特にプリペイド方式の利用に適し、死蔵金が生じない情報記録媒体及び情報処理システムを提供する。【解決手段】  各々独立して増額が可能な金額情報を記憶する残額情報記憶部１２と保管金額記憶部１３を有し、保管金額記憶部１３の金額は、残額情報記憶部１２の金額が不足した場合に、これを補填するとともに、保管金額記憶部１３の金額は、必要に応じて、現金として出金が可能な非接触ＩＣカード１０１およびこれを用いた情報処理システムを構成する。【選択図】  図１
2007219994.tif 000002
【特許請求の範囲】
【請求項１】
中央処理装置とネットワーク接続された制御器と端末機の各々との情報授受機能を有するとともに、第１金額情報を記憶する第１記憶部および第２金額情報を記憶する第２記憶部を有し、前記第１記憶部は、前記端末機で入金された現金の入金額情報を前記第１金額情報に加算する処理と、前記情報記憶媒体が前記制御器から得た利用金額情報を前記第１金額情報から減算する処理と、前記第２金額情報の少なくとも１部を加算する処理により更新され、前記第２記憶部は、前記端末機で入金された現金の入金額情報を前記第２金額情報に加算する処理と、前記情報記憶媒体が前記制御器から得た利用金額情報と前記第１金額情報との差を前記第２金額情報から減算する処理と、前記端末機を用いて行う現金の出金額情報を前記第２金額情報から減算する処理により更新されることを特徴とする情報記憶媒体。
【請求項２】
前記情報記録媒体は非接触ＩＣカードであることを特徴とする請求項１記載の情報記録媒体。
【請求項３】
情報記録媒体と、制御器と、端末機と、中央制御装置とからなる情報処理システムであって、前記制御器と、前記端末機は、中央処理装置とネットワーク接続され、前記情報記録媒体は、前記制御器と端末機の各々との情報授受機能を有するとともに、第１金額情報を記憶する第１記憶部および第２金額情報を記憶する第２記憶部を有し、前記第１記憶部は、前記端末機で入金された現金の入金額情報を前記第１金額情報に加算する処理と、前記情報記憶媒体が前記制御器から得た利用金額情報を前記第１金額情報から減算する処理と、前記第２金額情報の少なくとも１部を加算する処理により更新され、前記第２記憶部は、前記端末機で入金された現金の入金額情報を前記第２金額情報に加算する処理と、前記情報記憶媒体が前記制御器から得た利用金額情報と前記第１金額情報との差を前記第２金額情報から減算する処理と、前記端末機を用いて行う現金の出金額情報を前記第２金額情報から減算する処理により更新されることを特徴とする情報処理システム。
【請求項４】
前記情報記録媒体は、非接触ＩＣカードであることを特徴とする請求項３記載の情報処理システム。
【発明の詳細な説明】
【技術分野】
【０００１】
本発明は、情報記憶媒体およびその情報記憶媒体を用いた処理システムに関するものである。
【背景技術】
【０００２】
近年、情報記憶媒体としてＩＣカードを用いた乗車券、定期券が普及している。ＩＣカードは記憶容量が大きいので、例えば、定期券として用いるＩＣカードのメモリに、定期券として使用するための情報記憶領域以外に、新たな金額情報記憶領域を作成し、この金額情報記憶領域を用いて、定期券乗車区間外での乗降利用を可能としている。
【０００３】
上記には、利便性から、ＩＣカードとして非接触ＩＣカードを用いることが多い。またこれらのＩＣカードは、いわゆるプリペイドカードとして用いられている。すなわち、券売機を兼ねた金銭積増機を用いて、あらかじめ任意の金額を入金しておくことにより、ＩＣカードはあらかじめ入金した金額分の交通機関の利用が可能となる。従って、本ＩＣカードを、交通機関の自動改札装置に挿入または近接させると、前引きまたは後引き方式で自動的に利用額が差し引かれ、乗車の都度、券売機で乗車券を購入しなくても、交通機関を利用することができる。
【０００４】
前引き方式とは、乗車前に、自動改札装置を通過した時点で、初乗り運賃相当額が差し引かれる方式であり、乗車後の自動改札装置再通過時点で初乗り運賃と利用区間に課金される運賃の差額が減額される。また、後引き方式とは、乗車後の自動改札装置通過時点で、利用区間に課金された運賃が減額される方式である。
【０００５】
従って、前引き方式の場合は、ＩＣカードの金額情報記憶領域に記憶されている金額情報、すなわち利用可能残高が、初乗り運賃相当額に満たなければ、乗車前の自動改札装置で入場を拒否される。また、後引き方式の場合は、金額情報記憶領域の利用可能残高がゼロでなければ、利用可能残高に関係なく自動改札装置を通過して乗車できるが、利用可能残高が利用金額に満たなければ、降車後の自動改札装置再通過時点でゲートが遮断され、出場できない。
【０００６】
しかしながら、該ＩＣカードの金額情報は、通常、目視確認不能である。従って、自動改札装置通過時に瞬間的に表示される利用可能残高を読み取るか、所定の端末機を用いて、利用可能残高確認操作を実行しなければ、利用可能残高を確認することができない場合が多い。つまり、利用者は、自動改札装置通過時のゲートの開閉によって、利用可能残高の有無のみを通知されることとなり、残高不足で自動改札装置を通過できない利用者は日常的に発生する。
【０００７】
このような利用者によって引き起こされる自動改札装置付近の渋滞発生頻度を減少させるために、利用可能残額を金額情報として記憶する残額情報記憶部の他に、その残額情報記憶部に記憶されている金額で不足するときに減額され、かつ、所定の金銭積増機において金額の積増ができる補助的な残額情報記憶部を設けた情報記憶媒体が提案されている。
【０００８】
図４は従来の非接触ＩＣカードの構成を示す説明図である。
【０００９】
非接触ＩＣカード１０１には、アンテナ１５に電力生成回路９と通信制御部８が接続され、通信制御部８には、制御部１０を介して、記憶部１１が設けられている。記憶部１１には、残額情報記憶部１２と補助的な残額情報記憶部として機能する臨時残額情報記憶部１４が設けられている。
【００１０】
この非接触ＩＣカード１０１は、アンテナ１を有するリーダライタ２に、メモリ４を有する制御部３が接続され、制御部３には、ドア駆動ユニット５および表示画面駆動ユニット６、音声ドライバ７が接続された制御器１００、すなわち自動改札装置と、アンテナ１５を介して通信する。
【００１１】
図２は、非接触ＩＣカードの機能を示す説明図である。
【００１２】
利用者が、非接触ＩＣカード１０１を、自動券売機および金銭積増機を兼ねる入出金機２０に挿入し、続いて、入出金機２０に任意の金額を入金すると、図４に示した残額情報記憶部１２または臨時残額情報記憶部１４に、利用可能な金額が書き込まれる。このとき、利用者は、残額情報記憶部１２に書き込まれるべき金額を入金するのか、臨時残額情報記憶部１４に書き込まれるべき金額を入金するのかを選択することができる。
【００１３】
利用者が、この非接触ＩＣカード１０１を、自動改札装置として機能する制御器１００のアンテナ１にかざすと、図４に示したように、非接触ＩＣカード１０１のアンテナ１５を介して、データの授受が行われて、前引き方式もしくは後引き方式で、利用金額が演算され、残額情報記憶部１２の金額から利用金額が差し引かれ、最新データに更新される。
【００１４】
このとき、残額情報記憶部１２の金額が利用金額に満たない場合は、不足分が、臨時残額情報記憶部１４の金額から差し引かれ、臨時残額情報記憶部１４の金額は、最新データに更新される。続いて、図４に示したドア駆動ユニット５が作動して、制御器１００のドアが開き、利用者は、出場する。
【００１５】
なお、残額情報記憶部１２と、臨時残額情報記憶部１４の各金額の合計が、利用金額を下回る場合は、制御器１００のドアは閉じたままである。従って、利用者は、場内で、非接触ＩＣカード１０１に入金操作を行うか、精算処理を行わない限り、出場はできない。
【００１６】
図５（ａ）は、従来の減額処理を説明するフローチャートであり、自動改札装置通過時に利用金額を減額する処理を示している。
【００１７】
ステップ２００で、制御器１００のアンテナ１が非接触ＩＣカード１０１を検出したかを確認し、ステップ２０１で利用金額と残額情報記憶部１２の金額を比較し、不足がない場合は、ステップ２０４に進み、残額情報記憶部１２の金額から利用金額を減額する処理を行い、制御器１００のドアを開く。ステップ２０１で、利用金額が残額情報記憶部１２の金額より多い場合は、ステップ２０２に進み、利用金額と残額情報記憶部１２の金額との差額と臨時残額情報記憶部１４の金額とを比較して、臨時残額情報記憶部１４の金額が多い場合は、ステップ２０４に進み、臨時残額情報記憶部１４の金額から前記差額を減額する処理を行い、制御器１００のドアを開く。ステップ２０２で、臨時残額情報記憶部１４の金額が前記差額よりも少ない場合は、ステップ２０３に進み、精算処理を行うまで、ドアは開かない。
【００１８】
図５（ｂ）は、従来の増額処理を説明するフローチャートであり、自動券売機における現金積み増し処理を示している。
【００１９】
ステップ２０５で非接触ＩＣカードの挿入を確認し、ステップ２０６で非接触ＩＣカードの真偽判定をした後、ステップ２０７で金銭が投入されたか否かの確認を行い、ステップ２０９で現金積み増し先や金額の選択および増額処理、すなわち、残額情報記憶部１２または臨時残額情報記憶部１４の金額の書き換え処理を行う。
【００２０】
以上のように、残高情報記憶部１２の金額が利用金額に満たない場合は、臨時残額情報記憶部１４ の金額を用いて減額処理が行われるので、残額情報記憶部１２の金額に不足が生じても臨時残額情報記憶部１４の金額を用いて所定の処理を行うことができる。
【００２１】
このような非接触ＩＣカードおよびこれを用いた情報処理システムは、例えば、特許文献１に示されている。
【００２２】
【特許文献１】特開２００３−１９６６８７号公報
【発明の開示】
【発明が解決しようとする課題】
【００２３】
しかしながら、従来の非接触ＩＣカードによる情報処理システムでは、単に残額情報記憶部の金額の不足を、臨時残額情報記憶部の金額で補填するだけなので、見かけ上、２つの情報記憶部を有してはいるものの、１つの情報記憶部を有しているのと、結果的には同じである。
【００２４】
この場合、残高不足をおそれて、残高情報記憶部または臨時残額情報記憶部に、高額入金すると、限定された用途にしか使用できないために、いわゆる死蔵金が生じることとなる。
【００２５】
本発明の技術的課題は、特にプリペイド方式の利用に適し、死蔵金が生じない情報記録媒体及び情報処理システムを提供することにある。
【課題を解決するための手段】
【００２６】
本発明の情報記憶媒体は、いわゆるプリペイド方式の情報記憶媒体であって、利用可能な金額情報を記憶する第１記憶部と、第２記憶部を有し、第２記憶部の金額情報は、前記第１記憶部の利用可能残高が不足した場合に、これを補填する機能を有する。また、前記第１記憶部および第２記憶部は、各々独立して増額が可能である。さらに、前記第２記憶部は、必要に応じて、現金として出金が可能である。
【００２７】
本発明の情報記録媒体は、例えば交通機関の券売機のような端末機および、例えば自動改札装置のような制御器と通信可能であり、端末機を用いて上記入出金処理を行い、制御器を通過することによって、入金額から利用額が減額される。
【００２８】
本発明の情報処理システムは、中央処理装置とネットワーク接続された制御器および端末機、および上記機能を有する情報記憶媒体で構成されており、交通機関・各種施設の利用、商品購買等の目的で入金しても、必要に応じて、現金として引き出すことを可能とする。
【００２９】
本発明によれば、中央処理装置とネットワーク接続された制御器と端末機の各々との情報授受機能を有するとともに、第１金額情報を記憶する第１記憶部および第２金額情報を記憶する第２記憶部を有し、前記第１記憶部は、前記端末機で入金された現金の入金額情報を前記第１金額情報に加算する処理と、前記情報記憶媒体が前記制御器から得た利用金額情報を前記第１金額情報から減算する処理と、前記第２金額情報の少なくとも１部を加算する処理により更新され、前記第２記憶部は、前記端末機で入金された現金の入金額情報を前記第２金額情報に加算する処理と、前記情報記憶媒体が前記制御器から得た利用金額情報と前記第１金額情報との差を前記第２金額情報から減算する処理と、前記端末機を用いて行う現金の出金額情報を前記第２金額情報から減算する処理により更新されることを特徴とする情報記憶媒体が得られる。
【００３０】
本発明によれば、前記情報記録媒体は非接触ＩＣカードであることを特徴とする情報記録媒体が得られる。
【００３１】
本発明によれば、情報記録媒体と、制御器と、端末機と、中央制御装置とからなる情報処理システムであって、前記制御器と、前記端末機は、中央処理装置とネットワーク接続され、前記情報記録媒体は、前記制御器と端末機の各々との情報授受機能を有するとともに、第１金額情報を記憶する第１記憶部および第２金額情報を記憶する第２記憶部を有し、前記第１記憶部は、前記端末機で入金された現金の入金額情報を前記第１金額情報に加算する処理と、前記情報記憶媒体が前記制御器から得た利用金額情報を前記第１金額情報から減算する処理と、前記第２金額情報の少なくとも１部を加算する処理により更新され、前記第２記憶部は、前記端末機で入金された現金の入金額情報を前記第２金額情報に加算する処理と、前記情報記憶媒体が前記制御器から得た利用金額情報と前記第１金額情報との差を前記第２金額情報から減算する処理と、前記端末機を用いて行う現金の出金額情報を前記第２金額情報から減算する処理により更新されることを特徴とする情報処理システムが得られる。
【００３２】
本発明によれば、前記情報記録媒体は、非接触ＩＣカードであることを特徴とする情報処理システムが得られる。
【発明の効果】
【００３３】
本発明により、死蔵金を生じることのない情報記録媒体及びこれを用いた情報処理システムが得られる。
【発明を実施するための最良の形態】
【００３４】
本発明の実施の一形態について、図面を参照して説明する。
【００３５】
図１は、本発明の実施の一形態を示す図である。
【００３６】
非接触ＩＣカード１０１には、アンテナ１５に電力生成回路９と通信制御部８が接続され、通信制御部８には、制御部１０を介して、記憶部１１が設けられている。記憶部１１には、第１記憶部として機能する残額情報記憶部１２と、第２記憶部として機能する保管金額記憶部１３が設けられている。
【００３７】
この非接触ＩＣカード１０１は、アンテナ１を有するリーダライタ２に、メモリ４を有する制御部３が接続され、制御部３には、ドア駆動ユニット５および表示画面駆動ユニット６、音声ドライバ７が接続された制御器１００、すなわち自動改札装置と、アンテナ１５を介して通信する。
【００３８】
図２は、非接触ＩＣカードの機能を示す説明図である。
【００３９】
本発明による非接触ＩＣカード１０１は、利用者が、自動券売機および金銭積増機を兼ねる端末機として機能する入出金機２０に挿入し、続いて入金処理を選択した後に、入出金機２０に任意の金額を入金すると、図１に示した残額情報記憶部１２または保管金額記憶部１３に、金額が書き込まれる。このとき、利用者は、残額情報記憶部１２に書き込まれるべき金額を入金するのか、保管金額記憶部１３に書き込まれるべき金額を入金するのかを選択することができる。
【００４０】
利用者が、この非接触ＩＣカード１０１を自動改札装置として機能する制御器１００のアンテナ１にかざすと、図１に示したように、非接触ＩＣカード１０１のアンテナ１５を介して、データの授受が行われて、前引き式もしくは後引き式で、利用金額が演算され、残額情報記憶部１２の金額から利用金額として所定の金額が差し引かれ、最新データに更新される。
【００４１】
このとき、残額情報記憶部１２の金額が利用金額に満たない場合は、不足分が保管金額記憶部１３の金額から差し引かれ、保管金額記憶部１３の金額は、最新データに更新される。続いて、図１に示したドア駆動ユニット５が作動して、制御器１００のドアが開き、利用者は出場する。
【００４２】
なお、残高情報記憶部１２と、保管金額記憶部１３の金額の合計金額が、利用金額に満たない場合は、制御器１００のドアは閉じたままである。従って、利用者は、場内にある入出金機２０を用いて非接触カード１０１に入金操作を行うか、別途精算処理を行わない限り、出場はできない。
【００４３】
また、利用者は、非接触ＩＣカード１０１を、自動券売機および金銭積増機を兼ねる入出金機２０に挿入し、出金処理を選択すると、図１に示した保管金額記憶部１３の金額が表示される。続いて、利用者が、入出金機２０に任意の金額を入力すると、保管金額記憶部１３の金額から、入力した金額が減算されて、保管金額記憶部１３は最新データに更新され、現金が返却される。
【００４４】
図３（ａ）は、本発明の減算処理を説明するフローチャートであり、制御器１００における処理を示す。
【００４５】
ステップ２００で、制御器１００のアンテナ１が非接触ＩＣカード１０１を検出したか確認し、ステップ２０１で利用金額と残額情報記憶部１２の金額を比較し、不足がない場合は、ステップ２０４に進み、減算処理を行い、制御器１００のドアを開く。
【００４６】
ステップ２０１で、利用金額が残額情報記憶部１２の金額より多い場合は、ステップ２１０に進み、利用金額と残額情報記憶部１２の金額の差額と、保管金額記憶部１３の金額とを比較して、保管金額記憶部１３の金額が多い場合は、ステップ２１１に進む。
【００４７】
ステップ２１０で、保管金額記憶部１３の金額が、利用金額と残額情報記憶部１２の金額との差額よりも少ない場合は、ステップ２０３に進み、精算処理を行うまで、ドアは開かない。
【００４８】
ステップ２１１で、利用金額と残額情報記憶部１２の金額との差額を、保管金額記憶部１３の金額から減算し、同額を残額情報記憶部１２の金額に加算して、残額情報記憶部１２の金額と保管金額記憶部１３の金額を最新情報に更新し、ステップ２０４に進む。ステップ２０４では、残額情報記憶部１２の金額から利用金額を減算して金額情報を更新し、利用者は出場する。
【００４９】
図３（ｂ）は、本発明の入出金処理を説明するフローチャートであり、入出金機２０における処理を示す。
【００５０】
ステップ２０５でＩＣカードの挿入確認、ステップ２０６で真偽判定をした後、ステップ２１２で残額情報記憶部１２への入金処理を選択した場合は、ステップ２０７で入金額および金銭投入有無の確認を行い、ステップ２０９で加算処理、すなわち残額情報記憶部１２の金額に入金額を加算し、残額情報記憶部１２の更新を行う。
【００５１】
ステップ２１２で残額情報記憶部１２への入金処理を否定した場合は、ステップ２１３に進み、保管金額記憶部１３への入金処理か出金処理かの選択を行う。入金処理を選択した場合はステップ２１４で入金額および金銭投入有無の確認を行い、ステップ２１５に進み加算処理、すなわち保管金額記憶部１３の金額に入金した金額を加算し、保管金額記憶部１３の更新を行う。
【００５２】
ステップ２１３で、入金処理を否定した場合は、出金処理を選択したことになるので、ステップ２１６に進み、保管金額記憶部１３の金額から、利用者が指定した任意の金額を減算して保管金額記憶部１３を更新するとともに、指定された任意の金額に相当する現金の出金を行う。なお、保管金額記憶部１３の金額が、利用者が指定した出金額より少ない場合は、メッセージを表示して出金処理、減算処理は行わない。
【００５３】
本発明は、上述のような交通機関の利用の他に、スポーツ施設、娯楽施設、教育施設などの各種施設の利用や、物品の購入、貸借など様々な場面に適用可能である。
【００５４】
本発明に用いる情報記憶媒体は、制御器や端末機との情報授受手段を持つものであれば何でも良い。すなわち、ＩＣカード、ＩＣ搭載機器、磁気記録媒体等が適用可能であり、特に記憶容量が大きく、通信機能の制御が容易な点で、非接触ＩＣカードが好ましい。
【００５５】
以上、図面を用いて、この発明の実施の形態を説明したが、この発明は、この図面に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００５６】
本発明の情報記録媒体および情報処理システムを用いることにより、旅客輸送システム、商品予約・購入システム、施設利用管理システムに代表される多様な情報システムを構築、運用することができる。
【図面の簡単な説明】
【００５７】
【図１】本発明の実施の一形態を示す図。
【図２】非接触ＩＣカードの機能を示す説明図。
【図３】本発明の処理を示すフローチャート、図３（ａ）は、減算処理を説明するフローチャート、図３（ｂ）は、入出金処理を説明するフローチャート。
【図４】従来の非接触ＩＣカードの構成を示す説明図。
【図５】従来の処理を説明するフローチャート、図５（ａ）は、減額処理を説明するフローチャート、図５（ｂ）は、増額処理を説明するフローチャート。
【符号の説明】
【００５８】
１，１５    アンテナ
２    リーダライタ
３    制御部
４    メモリ
５    ドア駆動ユニット
６    表示画面駆動ユニット
７    音声ドライバ
８    通信制御部
９    電力生成回路
１０    制御部
１１    記憶部
１２    残額情報記憶部
１３    保管金額記憶部
１４    臨時残額情報記憶部
２０    入出金機
１００    制御器
１０１    非接触ＩＣカード
２００〜２１６    ステップ
【図１】
2007219994.tif 000003
【図２】
2007219994.tif 000004
【図３】
2007219994.tif 000005
【図４】
2007219994.tif 000006
【図５】
2007219994.tif 000007